(57)【要約】      （修正有）【課題】室内空気中に含まれるハウスダストを吸着捕捉するフィルタを、扇風機の背面側である風上側に装着してクリーンな空気を風下側に送風する扇風機用フィルタを提供する。【解決手段】送風ファンを具えたモータ部４の外部に、送風ファンの外側を覆う前部ガード６と後部ガード７とからなるガード部８を装着してなる扇風機において、複数の補強片１３と複数の支持片１４とを一体に交差して設けた多数の窓部１５にそれぞれ銀を装着したフィルタ片１６を装着し、中央部にモータ部４を収容する半円状の開口部１０を有して対をなすフィルタ部１２，１２からなるフィルタを、後部ガード７の背面に着脱可能に取り付けてある。【選択図】図２
0003210808.tif 000002
【実用新案登録請求の範囲】
【請求項１】
先端に送風ファンを具えたモータ部（４）の外部に、送風ファンの外側を覆う前部ガード（６）と後部ガード（７）とからなるガード部（８）を装着した扇風機（１）において、複数の補強片（１３）と複数の支持片（１４）とを一体に交差して設けた多数の窓部（１５）にそれぞれフィルタ片（１６）を装着し、中央部に前記モータ部（４）を収容する半円状の開口部（１０）を有して対をなすフィルタ部（１２、１２）からなるフィルタ（２２）を前記後部ガード（７）の背面に、着脱可能に取り付けてなることを特徴とする扇風機用フィルタ。
【請求項２】
フィルタ片１６は、径が異なり同心円状に形成した複数の細巾状の補強片（１３）と、放射方向に設けた複数の細巾状の支持片（１４）とを一体に交差して形成した多数の窓部（１５）に取り付けてなり、該フィルタ片（１６）に銀の粒を任意間隔に取り付けてなるフィルタ部（１２）の外側部分を後方に湾曲させて形成した周面部（１２ａ）に、複数の第２の窓部（１５ａ）を設けてなることを特徴とする請求項１に記載の扇風機用フィルタ。
【請求項３】
前記フィルタ部（１２）に形成した支持片（１４）の内面に、後部ガード（７）に多数有したガード部材（９）のいずれかに着脱可能に掛止する掛止部（１９）を設けてなることを特徴とする請求項１又は２記載に扇風機用フィルタ。
【請求項４】
前記掛止部（１９）の先端には、後部ガード（７）に有するガード部材（９）と掛止するように略L型をした係止爪（２０）を設けてなることを特徴とする請求項３記載に扇風機用フィルタ。
【請求項５】
前記フィルタ部１２に設けてなる窓部１５，１５ａに装着したフィルタ片１６に、多数の銀粒２４を互いに間隔を存して取り付けたことを特徴とする請求項２に記載に扇風機用フィルタ。
【考案の詳細な説明】
【技術分野】
【０００１】
本考案は、扇風機の背面側に取り付けて送風ファンに取り込まれる前の室内空気中に含まれているハウスダストを吸着捕捉する扇風機用フィルタに関するものである。
【背景技術】
【０００２】
家庭用の扇風機は、支持部の上端に上下及び左右方向に首振り可能に設けたモータ部に有するモータ軸の先端に装着した送風ファンを、家庭用電源に接続したコード線を介して通電して高速回転させるものであって、該送風ファンの前方から風を送り出す装置であることは広く知られている。
【０００３】
扇風機の送風ファンが高速回転すると、空気との摩擦により生じた静電気が送風ファンに帯電し、室内空気中に含まれている埃やカビなどが混ざった小さなゴミが送風ファンに付着して汚れるという欠点を有していた。
【０００４】
室内空気中にはハウスダストが含まれており、また、送風ファンに付着した埃などが、高速回転している送風ファンの表面から分離すると送風中に混入してしまい、その送風を体内に吸い込むことは、健康上良くないという問題点を有している。  
【先行技術文献】
【特許文献】
【０００５】
【特許文献１】特開２００４−１１６３０号公報
【特許文献２】特開２０１５−２８３０７号公報
【０００６】
扇風機による室内のハウスダストを軽減し、室内の快適性を上げ、さらに扇風機自体の埃などによる汚れ防止や掃除作業を軽減するための扇風機の汚れ防止カバーについては公知である（特許文献１）。しかし、その構成は、円筒状をした不織布からなるカバー部の前方と後方に糸通し部を設け、糸通し部に伸縮性のある糸を通した汚れ防止カバーであり、扇風機の送風部全体を包み込む構成の為、扇風機への取付けに手間が掛かるという問題点を有していた。その上、防止カバーは不織布で形成しているため汚れが目立つ欠点がある。
【０００７】
安全の為に扇風機の送風ファンの前側全体を、断面円形で筒状をした側方フィルタ部と、送風ファンの風下流の前面フィルタ部とからなる扇風機用集塵フィルタによって該送風ファンを包み込む構成のものがある。（特許公報２）。この扇風機は、送風ファンの前側部分が突出して嵩張る構造のため、扇風機が大きく見えてしまい、その上、左右に首を振るため目障りとなって取り扱い難いという問題点を有していた。
【考案の概要】
【考案が解決しようとする課題】
【０００８】
上記課題を解決するために、本考案は、扇風機のモータ部に取り付けた送風ファンの外側を安全のために覆っているガード部、特に、後部ガードの背面にフィルタ片を具えたフィルタ部を着脱可能に取り付けて、室内空気中の汚れなどを吸着捕捉するものである。回転する送風ファンの風上流側、即ち、空気吸込側から取り込む室内空気中に含まれているハウスダストを吸着捕捉し、きれいな空気を送風ファンの風下流側、即ち、扇風機の前方に送り出してクリーンな空気を室内に送風するようにしたものである。この場合、室内空気中のハウスダストは、フィルタで少しづつ吸着捕捉され、これを繰り返すことにより室内空気を循環させながら徐々にクリーンにするものである。
【課題を解決するための手段】
【０００９】
本考案は、支持台の上方に形成した支持部３の先端に首振り可能にモータ部を設け、先端に送風ファンを具えたモータ部４の外部に、送風ファンの外側を覆う前部ガード６と後部ガード７とからなるガード部８を装着した扇風機１において、複数の補強片１３と複数の支持片１４とを一体に交差して設けた多数の窓部１５にそれぞれフィルタ片１６を装着し、中央部に前記モータ部４を収容する半円状の開口部１０を有して対をなすフィルタ部１２，１２からなるフィルタ２２を、前記後部ガード７の背面に、着脱可能に取り付けてなることを特徴とする。また、フィルタ片１６は、径が異なり同心円状に形成した複数の細巾をした補強片１３と、放射方向に設けた複数の細巾をした支持片１４とを一体に交差して形成した多数の窓部１５に取り付けてなり、該フィルタ片１６に銀を任意間隔に装着してなるフィルタ部１２の外側部分を後方に湾曲して形成した周面部１２ａに、複数の第２の窓部１５ａを設けてなることを特徴とする。さらに、前記フィルタ部１２に形成した支持片１４の内面に、後部ガード７に有したガード部材９に着脱可能に掛止する掛止部１９を設けてなることを特徴とする。また、前記掛止部１９の先端は、後部ガード７に有するガード部材９と掛止するように略L型をした係止爪２０を設けてなることを特徴とする。さらに、前記フィルタ部１２に設けてなる窓部１５，１５ａに装着したフィルタ片１６に、多数の銀粒２４を互いに間隔を有して取り付けたことを特徴とする。
【００１０】
以上のように、送風ファンに送り込まれる室内空気の風上流側、即ち、後部ガードの背面に配置したフィルタにより、室内空気中のハウスダストを吸着捕捉し、これを繰り返すことにより徐々に室内空気をクリーンにすることができる。その上、フィルタ部の外周に位置した周面部に設けてある第２の窓部に装着したフェルト片により、フィルタ部の外周方向からも室内空気を取り込んで、室内空気中に含まれるハウスダストを吸着捕捉することができる。このように送風ファンに多くの室内空気を送り込むことができるため、ハウスダスト中の埃や雑菌の吸着捕捉を行うことができる。送風ファンに送り込む前の室内空気中のハウスダストをフィルタで吸着捕捉するため、クリーンな空気中で回転する送風ファンの表面に埃が付着するのを防いで汚れを防止する。さらに、このフェルト片１６に、銀粒などを取り付けることにより、銀から発生する銀イオンによる滅菌作用を利用するものである。
【図面の簡単な説明】
【００１１】
【図１】本考案の実施の形態を示すもので、半円状をした一対のフィルタ部からなるフィルタの斜視図である。
【図２】扇風機の背面側に設けた後部ガードから分離させた状態の対をなすフィルタ部を示した斜視図である。
【図３】扇風機の背面に対をなして装着した一対のフィルタ部からなるフィルタを装着した状態を示した扇風機の背面図である。
【図４】フィルタ片に銀の粒を任意間隔に取り付けた状態を示した説明図である。
【図５】フィルタ部を構成する支持片の内側に一体に設けた掛止具を示した要部拡大斜視図である。
【考案を実施するための形態】
【００１２】
本考案の実施の形態を図面に基づいて説明すると、第１図は半円状をした一対のフィルタ部からなるフィルタの斜視図、図２は扇風機の背面に設けた後部ガードから分離させた状態の対をなすフィルタ部を示した斜視図、図３は扇風機の背面側に対をなして装着した一対のフィルタ部からなるフィルタを示した扇風機の背面図、図４はフィルタ片に銀の粒を任意間隔に取り付けた状態を示した説明図、図５はフィルタ部を構成する支持片の内側に一体に設けた掛止具を示した要部拡大斜視図である。
【００１３】
本考案は、扇風機のモータ部の先端に取り付けた送風ファンの外側を、安全のために覆う前部ガード６及び後部ガード７からなるガード部８、特に、後部ガード６の背面側に、イオンを発生する銀の粒などを装着した多数のフィルタ片１６を有した窓部１５，１５を設けた半円状をした一対のフィルタ部１２を組み合わせてなるフィルタ２２を着脱可能に取り付けたものである。
【００１４】
家庭用の扇風機１は、図示しない支持台の中央から上方に立ち上げて設けた支持部３の上端に、上下及び左右に首振り可能にモータ部４を装着してあり、このモータ部４の内部に配したモータ軸（図示せず）の先端に送風ファン（図示せず）を取付けてあることは広く知られている。
【００１５】
送風ファンは、複数の薄い部材で形成してなる羽根板がモータ軸によって高速回転するものであるから、安全のためにその外側をスリットまたは網目を有した多数のカバー部材９，９で形成した前部ガ−ド６と後部ガード７との２部材で形成してなるガード部８で覆って形成してある。
【００１６】
このガード部８は、多少の弾性を有して細い棒状部材で形成したカバー部材９，９によって形成したことにより風がスムーズに通過できるように構成してあり、送風ファンが回転する軌道の外側を覆うように、中央部分を外方になだらかに突出して皿状に形成した前部ガード６と、中央部分を外方に突出して皿状に形成し、且つ、その中心部に半円状に形成した開口部１０を設けた後部ガード７とを抱き合わせ、互いに接する周縁部を複数の係止金具１１によって着脱可能に組み合わせることにより、モータ部４の先端側に取り付けてある。
【００１７】
このフィルタ部１２は、後部ガード７の背面に取り付けるもので、半円状に形成した一対のフィルタ部１２，１２を使用してもよいし、図示しないが円形状に形成したフィルタ部を使用してもよい。半円状に形成したフィルタ部１２は、径が異なりそれぞれ任意間隔に同心円状に形成した複数の細巾をした第１，２，３，４の補強片１３ａ、１３ｂ、１３ｃ、１３ｄからなる補強片１３と、前記モータ部４の胴部外側に合致させて取り付けるように形成した半円状の開口部１０を形成した第１の補強片１３ａからそれぞれ放射方向に設けた複数の細巾をした支持片１４とをそれぞれ交差させるように一体に形成して多数の窓部１５を設けてある。
【００１８】
支持片１４の内面（裏面）には、複数の掛止具１９を立ち上げて形成してあり、該掛止具１９の上端（先端）に設けた任意の係止爪２０は、前記後部ガード７を構成する細い棒状らなる多数のカバー部材９と掛止するように、該後部ガード７の背面に取り付けてある。この掛止具は、端部分を除いて中間部分に位置する支持片１４に２個づつ複数箇所に設けてあり、安定よく後部ガード７に装着できるようにしてある。この場合、必ずしも支持片の全部に掛止具を設ける必要はない。
【００１９】
略Ｌ型をした係止爪２０を先端部に設けた掛止具１９は、後部ガード７を構成するガード部材９が棒状をした部材であって弾力性を有して設けてあるので、係止爪２０がガード部材に当接すると、該ガード部材９，９はその位置を左右に多少移動できるため、カバー部材９を下方に押し下げると左右に移動しながら押し下げられて係止爪２０に掛止することができる。
【００２０】
係止爪２０をカバー部材９から取り外す場合は、例えば、当該カバー部材９を指先などでその位置を多少押し下げると、該カバー部材９は係止爪２０の上面の斜面に沿って横方向に移動して係止爪２０の先端に設けた掛止具１９から外れる。ついでカバー部材９の押し下げを止めれば、カバー部材は具有する弾性により上方に復帰し、掛止具１９はカバー部材９との係合が外れるため、前記フィルタ部１２を後部ガード７から取り外すことができるものである。
【００２１】
各窓部１５は、通気性を有した不織布やスクリーン等からなるフィルタ片１６で覆ってある。正面から見て半円状に形成したフィルタ部１２を２個組合わせて略円形をしたフィルタ２２は、後部ガード７の背面に取り付けてあるが、扇風機から取り外した際には２つに分割して小さくできるため、物入れや戸棚内に収納し易くすることができるし、後部ガード７への脱着操作が容易になるという利点有している。
【００２２】
支持片１４と一体に形成したやや幅広にした第３の補強片１３ｃは、フィルタ部の外側外周部分に位置しており、支持片１４と共に後部側に湾曲状に折り曲げてフィルタ部１２の外側に位置した周面部１２ａを環状に形成してある。この環状の周面部１２ａに位置した箇所にも複数の第２の窓部１５ａを有しており、それぞれフィルタ片１６を装着している。
【００２３】
そのため、後部ガード７の後部側（背面側）だけでなく、後部ガードの外周方向からも周面部１２ａに設けた第２の窓部１５ａから室内空気を取り込むことができる。このように多数設けた窓部１５，１５ａから室内空気を取り込むことができるため、送風ファンの風上流側から取り入れた室内空気を送風ファンの風下流側（風送出側）に送り込むことができる。即ち、扇風機の背面側の広い範囲から室内空気を取り込んで多量の室内空気を送風ファンに送り込むようにした点に特徴を有する。
【００２４】
フィルタ部１２の中心部に設けた半円状の開口部１０は、後部ガード７と共にモータ部４の外側に取り付けることができるよう互いに接近してガード部８の後部ガード７およびフィルタ部１２、１２を扇風機１の背面側に装着してある。
【００２５】
不織布やスクリーン材など通気性を有するフィルタ片１６は、その片面又は両面に交互に銀を任意間隔ごとに取り付けてもよい。また、小孔を多数有した銀箔をフェルト片１６の片面に貼り付けてもよい。このように、抗菌作用を有することが知られている銀イオンを発生する銀、例えば、銀粒を通気性を有したフェルト片に任意間隔に取り付けてある。
【００２６】
フイルタ片１６の表面に銀の粒などを取り付けたことにより、銀から発生する銀イオンの作用により、繰り返し通過する室内空気中の塵や雑菌などのハウスダストを少しづつ吸着捕捉することができるため、扇風機を長時間運転すればするほど室内空気をクリーンにすることができる。
【００２７】
図４に示した銀の粒は、窓部１５，１５ａに装着したフェルト片１６の表面に、任意間隔毎に取り付けた状態を示したものである。この場合、フェルト片１６は、フェルト部１２の裏面全体の装着してもよいし、各窓部１５，１５ａの部分ごとに装着してもよいことはもちろんである。このフィルタ片１６に装着させる銀は、小粒や顆粒状や粉状であってもよいが、あくまでもフェルト片が通気性を有するようにしてあることが必要である。
【００２８】
イオンを発生する銀が抗菌効果を有すること、非常に毒性が弱いことが知られていることはインターネットに記載されているように従来から知られている。また、この銀イオンは各種のバクテリアの細胞を強く吸着して殺菌効果を有していることは、古来から銀食器や装飾具に使用されている事実が広く知られている。
【００２９】
次に、本考案の作用について説明すると、家庭用電源に接続して扇風機のモータ部に通電した電気によって高速回転する送風ファンによる吸引力により、扇風機の背面に取り付けた半円状の一対にフィルタ部１２，１２からなるフィルタ２２に有した窓部１５，１５ａから室内空気を取り込む。このように、送風ファンに取り込まれる前の段階において、送風ファンの吸引力により窓部１５，１５ａから取り込まれる室内空気は、フィルタ片１６によりハウスダストを吸着捕捉する。また、フィルタ片１６に銀の粒を装着してあれば、銀イオンの作用により雑菌などを吸着捕捉することができる。
【００３０】
フィルタ部１２，１２の外周方向の周面部１２ａに位置して設けた第２の窓部１５ａからも室内空気を吸い込むことができるため、前記窓部１５から吸い込まれた室内空気と合わせた多くの室内空気を送風ファンに吸い込ませることができ、ついで、送風ファンの前面からクリーンな空気を扇風機の前方から送り出すものである。
【００３１】
窓部１５，１５ａに位置するフィルタ片１６を通過する室内空気中のハウスダストは、一度に吸着捕捉することができなくても、室内空気が繰り返し前記フィルタ片１６を通過しながら少しづつ吸着捕捉することにより、その効果を発揮することができる。
【００３２】
このように、送風ファンの高速回転により生じた負圧によって室内空気は、後部ガードの中央部分に位置する多数の窓部１５の他に、後部ガードの周面部１２ａに設けてある窓部１５ａからも室内空気を取り込むことができ、フィルタ片１６による濾過と共にフィルタ片に多数装着した銀から発生する銀イオンによる滅菌作用により、ハウスダスト中の埃や雑菌を吸着捕捉するものであるが、フェルト片を数回の通過では完全に吸着捕捉することは困難であるため、前記フィルタ片１６を有した窓部１５，１５ａを室内空気が繰り返し通過中にハウスダストを少しづつ吸着捕捉するものである。
【００３３】
室内空気が繰り返しフィルタ部１２のフィルタ片１６を通過することにより、室内空気中に含まれる埃などを捕捉し、さらに、フィルタ片に銀イオンを発生する銀を設けてあるので、ハウスダストを吸着捕捉された室内空気を循環させることによってクリーンな空気に変えることができる。
【００３４】
送風ファンによって吸い込まれる室内空気中に含まれるハウスダストは、対をなすフィルタ部１２，１２からなるフィルタ２２よって吸着捕捉されてクリーンになった空気中を送風ファンが回転するため、該送風ファンに埃などが付着しにくくなり、送風ファンを綺麗に保つことができ、汚れが目立たなくなる。
【００３５】
このフィルタ２２は、扇風機の背面側に取り付けて使用するものであり、扇風機の前側に取り付けるものではないため、送風ファンによる風の吹き出しに何ら悪い影響を有しないという効果を有するものである。
【符号の説明】
【００３６】
１    扇風機
４    モータ部
６    前部ガード
７    後部ガード
８    ガード部
９    カバー部材
１０    開口部
１２    フィルタ部
１２ａ  周面部
１３    補強片
１３ａ  第１の補強片
１３ｂ  第２の補強片  
１３ｃ  第３の補強片  
１３ｄ  第４の補強片
１４    支持片
１５    窓部
１５ａ  第２窓部
１６    フィルタ片
１９    掛止具
２０    係止爪
２２    フィルタ
２４    銀粒
【図１】
0003210808.tif 000003
【図２】
0003210808.tif 000004
【図３】
0003210808.tif 000005
【図４】
0003210808.tif 000006
【図５】
0003210808.tif 000007